(57)【要約】【課題】  既存の照明設備を使用し、安全確実安価に回転ディスプレイ体を回転させることができる回転ディスプレイ装置を得る。【解決手段】  照明光源を有する照明室の上に位置する区画板；この区画板に穿設した貫通穴；貫通穴の上方に位置させて固定した上下方向に延びる回転支持棒；及びこの回転支持棒の上端部に回転自在に支持される軸受体と、この軸受体を中心に配置されたフィンを有し空気が通過することで回転力を生じさせる風車部とを有する回転ディスプレイ体；を備えた回転ディスプレイ装置。【選択図】  図１
2006084762.tif 000002
【特許請求の範囲】
【請求項１】
照明光源を有する照明室の上に位置する区画板；
この区画板に穿設した貫通穴；
上記貫通穴の上方に位置させて固定した上下方向に延びる回転支持棒；及び
この回転支持棒の上端部に回転自在に支持される軸受体と、この軸受体を中心に配置されたフィンを有し空気が通過することで回転力を生じさせる風車部とを有する回転ディスプレイ体；
を備えたことを特徴とする回転ディスプレイ装置。
【請求項２】
請求項１記載の回転ディスプレイ装置において、上記回転支持棒は、上端部に球状部または針状部を有する中心針金体と、この中心針金体の下端部から横方向に延び、上記貫通穴エッジ部に固定される固定具とを備えている回転ディスプレイ装置。
【請求項３】
請求項１または２記載の回転ディスプレイ装置において、上記回転支持棒は、さらに、上記中心針金体の上部に延び、該中心針金体の上端部との間に、回転ディスプレイ体の軸受体を挟み込む抜け止め部を備えている回転ディスプレイ装置。
【請求項４】
請求項３記載の回転ディスプレイ装置において、上記抜け止め部は、針金体を少なくとも２回密着巻した、紙葉を挟着可能なコイル部からなっている回転ディスプレイ装置。
【請求項５】
請求項１ないし４のいずれか１項記載の回転ディスプレイ装置において、回転ディスプレイ体の軸受体はガラス製であり、風車部は金属製である回転ディスプレイ装置。
【請求項６】
請求項１ないし５のいずれか１項記載の回転ディスプレイ装置において、回転ディスプレイ体は、風車部と一体に、飲料缶の周囲模様を模した合成樹脂製フィルムからなるダミー缶を備えている回転ディスプレイ装置。
【請求項７】
請求項１ないし５のいずれか１項記載の回転ディスプレイ装置において、上記区画板には、貫通穴上に位置させて飲料缶の周囲模様を模したダミー缶が固定され、このダミー缶の上部に上記回転ディスプレイ体が位置している回転ディスプレイ装置。
【請求項８】
請求項６または７記載の回転ディスプレイ装置において、該ディスプレイ装置は飲料缶の自動販売機に設置されている回転ディスプレイ装置。
【発明の詳細な説明】
【技術分野】
【０００１】
本発明は、熱による対流を利用した回転ディスプレイ装置に関する。
【背景技術】
【０００２】
熱による対流を利用した回転ディスプレイ装置としては、走馬燈が広く知られている。走馬燈は、蝋燭または電球の熱によって生じる空気の対流を利用したもので、回転ディスプレイ体の内部に、蝋燭または白熱電球を配置することが必須である。
【発明の開示】
【発明が解決しようとする課題】
【０００３】
しかしながら、裸火である蝋燭は言うに及ばず、白熱電球も火事の原因となるおそれがある。また、いずれにしても、対流を生じさせるための特別なエネルギ源を必要とする。
【０００４】
本発明は、既存の照明設備を使用し、安全確実安価に回転ディスプレイ体を回転させることができる回転ディスプレイ装置を得ることを目的とする。
【課題を解決するための手段】
【０００５】
本発明は、照明室に配置されている照明光源の熱を利用して回転ディスプレイを回転させるという着眼に基づいてなされたものである。
すなわち、本発明の回転ディスプレイ装置は、照明光源を有する照明室の上に位置する区画板；この区画板に穿設した貫通穴；貫通穴の上方に位置させて固定した上下方向に延びる回転支持棒；及びこの回転支持棒の上端部に回転自在に支持される軸受体と、この軸受体を中心に配置されたフィンを有し空気が通過することで回転力を生じさせる風車部とを有する回転ディスプレイ体；を有することを特徴としている。
【０００６】
回転支持棒は、回転ディスプレイ体を小摩擦で回転自在に支持しかつ区画板の貫通穴エッジに固定できるように、上端部に球状部または針状部を有する中心針金体と、この中心針金体の下端部から横方向に延び、貫通穴エッジ部に固定される固定具とを備えていることが好ましい。
【０００７】
回転支持棒に一体に、中心針金体の上部に延び、該中心針金体の上端部との間に、回転ディスプレイ体の軸受体を挟み込む抜け止め部を設けると、回転支持棒と回転ディスプレイ体とが離脱しないようにすることができる。
【０００８】
この抜け止め部は、針金体を少なくとも２回密着巻した、紙葉を挟着可能なコイル部から構成すると、別の広告表示体（紙葉）を同時に表示することができる。
【０００９】
回転ディスプレイ体の軸受体はガラス製とし、風車部は金属製とするのが実際的である。この回転ディスプレイ体には、風車部と一体に、飲料缶の周囲模様を模した合成樹脂製フィルムからなるダミー缶を設けることができる。あるいは、区画板に、貫通穴上に位置させて飲料缶の周囲模様を模したダミー缶を固定し、このダミー缶の上部に回転ディスプレイ体を位置させる態様も可能である。
【００１０】
本発明の回転ディスプレイ装置は、具体的には少なくとも飲料缶の自動販売機に設置することができる。
【発明の効果】
【００１１】
本発明によれば、既存の照明光源を利用し特別な熱源を要することのない回転ディスプレイ装置を得ることができる。
【発明を実施するための最良の形態】
【００１２】
図６は、本発明による回転ディスプレイ装置を備えた飲料缶の自動販売機１０を示している。自動販売機１０は、横（水平）方向に延びる複数段の区画板１１を有しており、各区画板１１の下方に、照明用蛍光灯１２が位置する照明室１３が形成されている。区画板１１の上方には、販売飲料缶を表示するダミー缶１４が並んでいる。１５はコイン投入窓、１６はコイン返却口、１７は購入飲料缶取出口である。
【００１３】
区画板１１には、図１ないし図３及び図５に示すように、各ダミー缶１４の位置に対応させて貫通穴２０が穿設されている。この貫通穴２０は、既存の自動販売機１０の区画板１１に一般的に備えられている。
【００１４】
本実施形態は、この区画板１１に穿設されている貫通穴２０を利用して、各貫通穴２０の上方に、ダミー缶１４となる回転ディスプレイ体３０を回転自在に支持している。回転ディスプレイ体３０は、上部のガラス製軸受体３１と、金属製の風車部３２と、飲料缶を模したダミー筒（ダミー缶）３３とからなっている。ガラス製軸受体３１は、筒状部の上端が半球状に閉じた中心軸受部３１ａと、中心軸受部３１ａの下端部に形成した外方フランジ３１ｂとを有するハット（帽子）状をしている。風車部３２は、中心貫通穴３２ａと、この中心貫通穴３２ａの周囲に等角度間隔で配置した同一形状のフィン３２ｂと、周縁の複数のフィルム掛け突起３２ｃとを有しており、例えばアルミ板材のプレス成形品で構成されている。ダミー筒３３は、柔軟な合成樹脂フィルムからなっていて、飲料缶の周囲模様が印刷されている。
【００１５】
ガラス製軸受体３１の中心軸受部３１ａは、風車部３２の中心貫通穴３２ａに下方から挿入されて外方フランジ３１ｂにより抜け止められ、必要に応じ接着される。ダミー筒３３は、その上端部の穴３３ａにフィルム掛け突起３２ｃを嵌め、丸めて端部を接着することで回転ディスプレイ体３０として完成する。フィン３２ｂの形状と数は、下方から上方への僅かな空気流で回転ディスプレイ体３０が中心軸受部３１ａを中心に回転できるように定める。
【００１６】
回転ディスプレイ体３０を回転自在に支持する回転支持棒４０は、貫通穴２０の上方に、貫通穴２０の中心を通って上方に延びる中心針金部４１と、この中心針金部４１の上端部に設けたボールペン様の球（球状部）４２（図４参照）と、中心針金部４１の下端部から貫通穴２０の半径方向に曲折延長した下方横延長部４３と、この下方横延長部４３の外端部から中心針金部４１と平行に上方に延長した外側上方延長部４４と、この外側上方延長部４４の上端部から中心針金部４１の上端部に向けて曲折した上方横延長部４５と、この上方横延長部４５の先端に少なくとも２回密着巻したコイル部（抜け止め部）４６とを備えている。
【００１７】
この回転支持棒４０を貫通穴２０の周縁エッジ部に固定するための固定具４７は、水平部４７ａと、垂直部４７ｂと、水平部４７ａの下方の曲折ばね部４７ｃとを有する板ばね体からなっており、水平部４７ａと垂直部４７ｂには、回転支持棒４０の下方横延長部４３と外側上方延長部４４をかしめ止める切起し片４７ｄと４７ｅが形成されている。
【００１８】
上記構成の本回転ディスプレイ装置は、予め、回転支持棒４０の下方横延長部４３と外側上方延長部４４に、固定具４７の切起し片４７ｄと４７ｅをかしめ止めておく。一方、ガラス製軸受体３１と風車部３２を別に組み立てておいて、これを中心針金部４１の上端部（球４２）とコイル部４６の間に挿入し、中心軸受部３１ａを球４２に係合させる。このときには、ガラス製軸受体３１をコイル部４６の中心部に挿入することができる。このように回転支持棒４０にガラス製軸受体３１と風車部３２を支持したら、フィルム掛け突起３２ｃにダミー筒３３の穴３３ａを嵌めて巻き付け、両端部を接着して筒状とする。また、コイル部４６には、その密着巻きしたコイル部の間に、広告表示体（紙葉）４８を挟み込む。このようにコイル部４６に広告表示体４８を挟み込むことで、回転ディスプレイ体３０が回転支持棒４０から脱落するのを防止することができる。勿論、広告表示体４８は脱落防止のための必須要素ではなく、単に脱落防止板をコイル部４６に挟んでもよく、あるいは、コイル部以外の抜け止め部を設けてもよい。さらに柔軟な上方横延長部４５を若干曲げてガラス製軸受体３１と風車部３２を球４２とコイル部４６との間に支持することで脱落を防止してもよい。また、図示例では、コイル部４６は円形であるが、非円形（三角形や四角形）であってもよい。
【００１９】
以上の回転ディスプレイ体３０と回転支持棒４０の組立体は、自動販売機１０の貫通穴２０に装着される。すなわち、図３に示すように、固定具４７の水平部４７ａと曲折ばね部４７ｃで貫通穴２０のエッジ部を挟着し、中心針金部４１を可及的に貫通穴２０の中心に位置させる。広告表示体４８は、自動販売機１０の正面に向ける。
【００２０】
この設置状態において安定させ、照明用蛍光灯１２を点灯すると、照明用蛍光灯１２からの熱により区画板１１の下方の照明室１３内が熱せられ（区画板１１の上下に温度差が生じ）、貫通穴２０の下方から上方に流れる空気流（対流）が生じる。この空気流は、風車部３２のフィン３２ｂの間の空間を通り、フィン３２ｂの形状によって回転ディスプレイ体３０に回転力を生じさせる。ガラス製の軸受体３１と中心針金部４１の先端部の球４２は、回転ディスプレイ体３０が低摩擦で回転することを許す。実際に、ガラス製軸受体３１と球４２の組合わせによると、実際の自動販売機１０の照明用蛍光灯１２の熱で、回転ディスプレイ体３０が回転することが確認された。勿論、軸受体３１と風車体３２の全体を例えば金属材料や合成樹脂材料から構成し、球４２との接触部に低摩擦性処理を施す等によっても回転ディスプレイ体３０を回転させることが可能である。球４２は必ずしも球である必要はなく、針金体の先端を球状に加工し、あるいは針状に加工してもよい。
【００２１】
本実施形態の利点の一つは、回転ディスプレイ体３０の回転支持棒４０からの脱落を確実に防止できる点にもある。すなわち、回転ディスプレイ体３０の軸受体３１を中心針金部４１の上端部（球４２）に回転自在に係合させた状態では、回転ディスプレイ体３０は、コイル部（抜け止め部）４６によって抜け止められる。このため、運搬性、耐振動性に優れる。自動販売機１０に用いる場合には、別の場所で組み立てた回転ディスプレイ体３０の回転支持棒４０の組立体を、目的とする自動販売機の存在場所に運び、その区画板１１の貫通穴２０に簡単に装着することができる。また自動販売機では、商品の補充のために開閉ドアを開閉することが行われるが、開閉に伴う振動で回転ディスプレイ体３０が脱落することがない。なお、抜け止め部は、必ずしも密着巻コイル部であることを要さないが、密着巻コイル部は、上述のように、別の広告板や抜け止め板を簡単に挟むことができるという利点がある。
【００２２】
以上の実施形態では、ダミー筒３３を含む回転ディスプレイ体３０が回転するが、固定されているダミー筒上で、ガラス製軸受体３１と風車部３２が回転する構成も可能である。図５は、その実施形態であり、区画板１１上には、貫通穴２０と同心に円形リブ１８が固定されており、この円形リブ１８の外周に、ダミー筒３３’の下端部が支持されている。この他の構成は、第一の実施形態と同一であり、同一部分には同一の符号を付している。
【００２３】
この実施形態では従って、固定のダミー筒３３’上でガラス製軸受体３１と風車部３２が回転するディスプレイ装置を構成することができる。回転ディスプレイのインパクトを高めるために、風車部３２の周囲には、図に鎖線で示す付加ディスプレイ４９を設けることができる。
【００２４】
以上のように、本発明の回転ディスプレイ装置は既存の自動販売機１０に適用できる点が利点の一つであるが、区画板１１、照明用蛍光灯１２及び照明室１３を有する表示場所であれば、自動販売機１０以外にも用いることが可能である。
【図面の簡単な説明】
【００２５】
【図１】本発明による回転ディスプレイ装置の第一の実施形態を示す斜視図である。
【図２】同回転ディスプレイ装置の分解状態の斜視図である。
【図３】同縦断面図である。
【図４】同回転軸受体部分の拡大断面図である。
【図５】本発明による回転ディスプレイ装置の第二の実施形態を示す、図３に対応する縦断面図である。
【図６】本発明による回転ディスプレイ装置の適用例を示す、飲料缶の自動販売機の正面図である。
【符号の説明】
【００２６】
１０  自動販売機
１１  区画板
１２  照明用蛍光灯
１３  照明室
１４  ダミー缶
１５  コイン投入窓
１６  コイン返却口
１７  商品（購入飲料缶）取出口
１８  円形リブ
２０  貫通穴
３０  回転ディスプレイ体
３１  ガラス製軸受体
３１ａ  中心軸受部
３１ｂ  外方フランジ
３２  風車部
３２ａ  中心貫通穴
３２ｂ  フィン
３２ｃ  フィルム掛け突起
３３  ダミー筒（回転）
３３’ダミー筒（固定）
３３ａ  穴
４０  回転支持棒
４１  中心針金部
４２  球（球状部）
４３  下方横延長部
４４  外側上方延長部
４５  上方横延長部
４６  コイル部（抜け止め部）
４７  固定具
４７ａ  水平部
４７ｂ  垂直部
４７ｃ  曲折ばね部
４７ｄ  ４７ｅ  切起し片
４８  広告表示体（紙葉）
４９  付加ディスプレイ
【図１】
2006084762.tif 000003
【図２】
2006084762.tif 000004
【図３】
2006084762.tif 000005
【図４】
2006084762.tif 000006
【図５】
2006084762.tif 000007
【図６】
2006084762.tif 000008